(57)【要約】【課題】白板状装置自体及びその周囲への汚損を防止しうるとともに、筆記跡を広範囲に亘り能率よく、しかもむらなく清浄に消去可能とし、さらには白板状装置へのメンテナンスをも便宜とする。【解決手段】水による化学反応によって有色から無色に消色しうるインクを有する筆記具と、この筆記具により筆記される白板状装置とからなる筆記システムであって、前記インクは、クリスタルバイオレットラクトンを含む特定の電子供与性呈色化合物と、サリチル酸亜鉛を含む特定の電子受容性顕色化合物とを混合してなるとともに、前記白板状装置は、前記筆記具により筆記される白板状体と、貯液タンクと、この貯液タンク内の水を白板状体に塗着することにより前記インクを消色して筆記跡を消す塗着具とを具える。【選択図】　図１
2004001413.tif 000002
【特許請求の範囲】
【請求項１】
水による化学反応によって有色から無色に消色しうるインクを有する筆記具と、この筆記具により筆記されるエンドレス状の白板状体を有する白板状装置とからなる筆記システムであって、
前記筆記具のインクは、クリスタルバイオレットラクトン；マラカイトグリーンラクトン；１．３ジメチル−６−ジエチルアミノフルオラン；６−ジエチルアミノ−ベンゾ〔α〕−フルオラン；３−シクロヘキシルメチルアミノ−６−メチル−７−アニリノフルオラン；ベンゾイルロイコメチレンブルー；エチルロイコメチレンブルー；メトキシベンゾイルロイコメチレンブルー；２−（フェニルイミノエタンジリデン）−３．３−トリメチル−インドリン；１．３．３−トリメチル−インドリノ−７′−クロル−β−ナフトスピロピラン；ジ−β−ナフトスピロピラン；Ｎ−アセチルオーラミン；Ｎ−フェニルオーラミン；ローダミンＢラクタム；からなるグループＡから選択される１種以上の電子供与性呈色化合物と、サリチル酸亜鉛及びビスフェノールＡからなるグループＢから選択される電子受容性顕色化合物とを混合してなるとともに、
前記白板状装置は、
前記筆記具により筆記されるエンドレス状の白板状体と、
貯液タンクと、
この貯液タンク内の水を、直接水に浸すのに比して適度の水分として前記白板状体に塗着することにより水による化学反応によって、前記インクを消色して筆記跡を消す塗着具とを具えることを特徴とする筆記システム。
【発明の詳細な説明】
【０００１】
【発明の属する技術分野】
本発明は、水による化学反応によって有色から無色に消色しうるインクを有する筆記具と、この筆記具により筆記されるエンドレス状の白板状体を有する白板状装置とからなる筆記システムに関する。
【０００２】
【従来の技術】
近年、授業、会議、打合わせ、説明会等にあっては、チョークを使用するいわゆる黒板にかえて、白板と白板用筆記具とからなる筆記システムが多用されている。この筆記システムに用いる白板は、スチール等の基板表面に、ホーロー処理や塗料の高温焼付け処理等を施した非浸透性の滑らかな筆記面を形成しており、又白板用筆記具としては、アルコール中に粉体顔料を浮遊攪拌させたフェルトペンが使用される。従って、その筆記跡は、バインダーのない粉体顔料のみの付着となり、乾燥布等の消し具による拭き取りによって容易に消去できる。
【０００３】
【発明が解決しようとする課題】
しかしながらこのような、従来の筆記システムでは、拭き取った顔料が消し具に付着するため、消し具の頻繁な清掃が必要であり、時に、顔料が飛散し周囲を汚損するという問題がある。
【０００４】
従って、本発明者は、特願平５−４７３４５号において、クリスタルバイオレットラクトン；マラカイトグリーンラクトン；１．３ジメチル−６−ジエチルアミノフルオラン；６−ジエチルアミノ−ベンゾ〔α〕−フルオラン；３−シクロヘキシルメチルアミノ−６−メチル−７−アニリノフルオラン；ベンゾイルロイコメチレンブルー；エチルロイコメチレンブルー；メトキシベンゾイルロイコメチレンブルー；２−（フェニルイミノエタンジリデン）−３．３−トリメチル−インドリン；１．３．３−トリメチル−インドリノ−７′−クロル−β−ナフトスピロピラン；ジ−β−ナフトスピロピラン；Ｎ−アセチルオーラミン；Ｎ−フェニルオーラミン；ローダミンＢラクタム；からなるグループＡから選択される１種以上の電子供与性呈色化合物と、サリチル酸亜鉛及びビスフェノールＡからなるグループＢから選択される電子受容性顕色化合物とを混合した無水の新規なインクを案出し、これを用いた筆記具を筆記システムに採用することにより前記問題点を解決することを提案した。
【０００５】
すなわち、前記インクは、前記呈色化合物と顕色化合物との分子接触によって有色に発色する一方、水の付着によって顕色化合物の効果が喪失して有色から無色に帰還する特性を有し、筆記跡の消去は、顔料自体の拭き取りではなく、水による化学反応によってインク自体を消色させることによる。
【０００６】
従って、このインクの筆記跡の消去には、従来の乾燥布等の消し具とは異なる新たな消去手段が必要となる。
【０００７】
すなわち本発明は、以上のような状況に鑑み案出されたものであって、その目的は、貯液タンク内に収容する水を白板状体に塗着する塗着具を設けた白板状装置と、水による化学反応によって消色する前記インクとを組み合わせることを基本として、前記インクの特性を最大限に活かすことができ、白板状装置自体及びその周囲への汚損を防止しうるとともに、筆記跡を広範囲に亘り能率よく、しかもむらなく清浄に消去可能とし、さらには白板状装置へのメンテナンスをも便宜としうる筆記システムを提供することを目的としている。
【０００８】
【課題を解決するための手段】
本願請求項１に係る発明は、水による化学反応によって有色から無色に消色しうるインクを有する筆記具と、この筆記具により筆記されるエンドレス状の白板状体を有する白板状装置とからなる筆記システムであって、
前記筆記具のインクは、クリスタルバイオレットラクトン；マラカイトグリーンラクトン；１．３ジメチル−６−ジエチルアミノフルオラン；６−ジエチルアミノ−ベンゾ〔α〕−フルオラン；３−シクロヘキシルメチルアミノ−６−メチル−７−アニリノフルオラン；ベンゾイルロイコメチレンブルー；エチルロイコメチレンブルー；メトキシベンゾイルロイコメチレンブルー；２−（フェニルイミノエタンジリデン）−３．３−トリメチル−インドリン；１．３．３−トリメチル−インドリノ−７′−クロル−β−ナフトスピロピラン；ジ−β−ナフトスピロピラン；Ｎ−アセチルオーラミン；Ｎ−フェニルオーラミン；ローダミンＢラクタム；からなるグループＡから選択される１種以上の電子供与性呈色化合物と、サリチル酸亜鉛及びビスフェノールＡからなるグループＢから選択される電子受容性顕色化合物とを混合してなるとともに、
前記白板状装置は、
前記筆記具により筆記されるエンドレス状の白板状体と、
貯液タンクと、
この貯液タンク内の水を、直接水に浸すのに比して適度の水分として前記白板状体に塗着することにより水による化学反応によって、前記インクを消色して筆記跡を消す塗着具とを具えることを特徴としている。
【０００９】
前記白板状装置は、水を白板状体に塗着する塗着具を具える。従って、前記特願平５−４７３４５号にて提案したインクによる白板状体への筆記跡を、インク自体の消色作用によって消去でき、周囲への汚損を防止できる。又直接水に浸すのに比して適度の水分を白板状体に与えうるため、塗着後の水を迅速に乾燥することが可能となり、消去後に新たな筆記を早期に行いうる。
【００１０】
又塗着具により筆記跡を広範囲に亘り能率よく消去でき、しかも貯液タンクを具えているため、長時間に亘り消去能力を維持することができる。さらに前記インクは、水の付着によって消色するのものであるため、むらなく均一に消去でき、しかもこのインクの消去によっても水が変色、汚染されることがないため、メンテナンスが便宜となる。
【００１１】
【発明の実施の形態】
以下本発明の一実施例を図面に基づき説明する。
本発明の筆記システムは、インクを有する筆記具と、この筆記具により筆記されるエンドレス状の白板状体３を有する白板状装置１とからなる筆記システムであって、前記インクは、前記した電子供与性呈色化合物と電子受容性顕色化合物とを混合してなることにより、水による化学反応によって有色から無色に消色しうるという特徴を具える。
【００１２】
又白板状装置１は、図１のごとく、フレーム２に、白板状体３と、貯液タンク５と、この貯液タンク内の水を前記白板状体３に塗着することにより水による化学反応によって前記インクを消色して筆記跡を消す塗着具６とを具える。
【００１３】
前記フレーム２は、本例では図１、２に示すように、一対の縦枠片９、９の上端部間及び中間部間を夫々水平な上の横枠片１０及び中の横枠片１１で連結した門型状をなし、又前記縦枠片９の下端には、前後にのびるとともに下面に例えばキャスター等の車輪１２を設けた脚片１３を配している。
【００１４】
又前記白板状体３は、本例では左右一対の白板状体３Ａ、３Ｂを具え、各白板状体３Ａ、３Ｂは、本例ではエンドレスの帯状をなす。なお各白板状体３Ａ、３Ｂは、例えば織布の表裏面をビニール等の合成樹脂で覆った非伸縮性かつ防水性のシート状基材の表面に、例えばフッソ樹脂による被覆処理を施したものが好適に使用できる。
【００１５】
又各白板状体３は、駆動具１５によって、夫々独立して周回動可能に支持される。
【００１６】
駆動具１５は、前記縦枠片９の上端部間に架け渡される駆動軸１６と、縦枠片９の内側面に設ける側板１７を介して取付く第１、第２、第３の支持軸２１、２２、２３及びテンション軸２５を具える。
【００１７】
前記駆動軸１６は、例えば図４に略示するように、前記縦枠９、９間の中心軸に軸受片２６を介して可回転に外挿される左右一対の円筒状のプーリ２７Ａ、２７Ｂを具える。各プーリ２７Ａ、２７Ｂの外向き端には、例えばウォームホイール等の歯車体２９が固着するとともに、該歯車体２９は、例えば横枠片１０に取付く電動器Ｍ１の出力軸に配される例えばウォーム等の歯車体３０と噛合する。従って各プーリ２７Ａ、２７Ｂは各モータＭ１、Ｍ１の作動により独立して回転でき、このプーリ２７Ａ、２７Ｂの周面に巻装する前記白板状体３Ａ、３Ｂを個別に駆動する。
【００１８】
又前記支持軸２１、２２、２３は図２、３に示すように、前記側板１７、１７間で枢支される長尺な軸体であって、第１、第２の支持軸２１、２２は、白板状体３Ａ、３Ｂの裏面を受けるとともに前記駆動軸１６の下方に位置して本例では互いに同高さで取付く。又第３の支持軸２３は、白板状体３Ａ、３Ｂの表面を受けるとともに第２の支持軸２２の後方に控えて配される。
【００１９】
又前記テンション軸２５は、本例では白板状体３Ａ、３Ｂの各裏面を受ける左右一対の軸片２５Ａ、２５Ｂからなり、各軸片２５Ａ、２５Ｂは、夫々前記側板１７、１７と、前記中の横枠片１１から後方に突出する互いに平行な一対の側板片１９Ａ、１９Ｂとの間で夫々上下に高さ位置調整可能に取付く。従って各軸片２５Ａ、２５Ｂは、白板状体３Ａ、３Ｂをゆるむことなく自在に張設できる。
【００２０】
又前記フレーム２には、前記駆動軸１６と、第１の支持軸２１との間の領域Ｙに、前記白板状体３Ａ、３Ｂをその裏面側から平面で支持し、この領域Ｙにおいて白板状体３Ａ、３Ｂへの筆記を可能とする裏板３２を設けている。なおこの裏板３２は、前記駆動軸１６の前縁と第１の支持軸２１の前縁とを通る平面と略平行な平板状の基板３２Ａを有し、該基板３２Ａが前記平面より前方側に隔たることにより、白板状体３Ａ、３Ｂをしわを発生することなく裏面から保持する。
【００２１】
又前記塗着具６は、本例では吸水性の高い吸水体を少なくとも表面に配した比較的大径のローラ体であって、前記第１、第２の支持軸２１、２２の下方かつ該支持軸２１、２２に接する位置で、例えば前記側板１７、１７間で枢着される。又該塗着具６は、本例では回転駆動具３３に接続する。
【００２２】
回転駆動具３３は、例えば縦枠９内側面に取付板等を介して取付く電動器Ｍ２を有し、該電動器Ｍ２の出力軸に設ける鎖車と、前記塗着具６の一端に設ける鎖車とを無端連紐３３Ａで連結している。
【００２３】
従って塗着具６は、第１の支持軸２１と第２の支持軸２２との間で白板状体３Ａ、３Ｂの表面と接触でき、白板状体３Ａ、３Ｂが電動器Ｍ１により周回する時、吸水した水を白板状体表面に塗着し、筆記跡を消去させる。なお前記周回の際、回転駆動具３３によって塗着具６を回転することによって、塗着具６の吸水した面を絶えず白板状体表面に接触させることができ、塗着のむらを抑制しうる。又前記白板状体の周回速度と、塗着具６の回転速度と間に差異を設け、塗着具６と白板状体３Ａ、３Ｂとをこすらせることにより消色をより確実化でき、このために、周回方向と回転方向とを違えることが好ましい。なお各方向を同一とするときには、こすれによる白板状体への傷の発生を低減できる。なお塗着具６は、前記駆動軸１６と同様に、左右で分割し、左右を夫々独立して回転制御させてもよい。
【００２４】
又前記貯液タンク５は、内部に水を貯留する上面開口の例えば矩形の容器であって、前記中の横枠片１１上に取外し自在に載置、保持される。
【００２５】
又貯液タンク５は、貯留する水中に、前記塗着具６の一部が浸漬しうる高さを有し、このことにより塗着具６表面に水を吸水させる。
【００２６】
なお前記貯液タンク５は、本例では図３、５に示すように容器状の基箱５Ａの内部に前記塗着具６と接するロール３５が枢着され、該ロール３５の下縁は基箱５Ａの底面近傍に位置している。従って、貯留する水の残量が減じた際にも、該ロール３５を介して塗着具６が吸水するのを保証する。なおロール３５は、スポンジ材、フェルト材、布材等吸水性が前記塗着具６より大なものが好適に使用できる。又ロール３５は、上下に平行移動可能でかつ上方に向かってバネ片等により付勢することが好ましく、このことにより貯液タンク５の前方からの取出しを便宜としかつ取付けによりロール３５と塗着具６とを接触しうる。又基箱５Ａの側面下方には、水を外部に排出する排水口５Ｂを設ける。
【００２７】
なお本例の白板状装置１には、前記フレーム２に、白板状体３を強制乾燥する乾燥具３６と、貯液タンク５に水を補給する補給タンク３７とが付設される。乾燥具３６は、本例では、送風器であって、塗着する水を駆動軸１６とテンション軸２５との間で送風して乾燥する。
【００２８】
又補給タンク３７は、貯液タンクに直接水を補給する他、例えばパイプ、開閉弁等を介して自動的に補給させてもよい。
【００２９】
又白板状装置１は、図１に示すように、多数の白板状装置１を横に連結して使用してもよく、本例では図６に示すように互いに隣り合う白板状装置１の縦枠片９、９間を連結する例えばフック状の係合金具４０Ａと係止ピン４０Ｂとからなる連結具４０を取付けている。
【００３０】
然して前記領域Ｙに筆記された白板状体３Ａ、３Ｂを電動器Ｍ１を用いて各軸１６、２１、２２、２３、２５の廻りで周回させ、筆記跡が塗着具６によって塗着する水と接触することによって、消色される。又白板状体３Ａ、３Ｂの駆動軸１６とテンション軸２５との間で待機する待機部分Ｋは周回とともに前記領域Ｙに導入されるため、新たな筆記を早期に行いうる。なお前記待機部分Ｋの導入の際、前記乾燥具３６によって塗着する水を乾燥し、新たな筆記を確実化する。
【００３１】
なお本例では、例えば一方の白板状体３Ａの筆記跡を消去させている間、他方の白板状体３Ｂに筆記するなど、筆記と消色とを白板状体３Ａ、３Ｂ交互に行うことによって、消色のための周回の待ち時間を排除でき、記録作業の能率化を図りうる。
【００３２】
【発明の効果】
叙上のごとく本発明は構成しているため、周囲に汚損等を招くことなく筆記跡を広範囲に亘り能率よくかつムラなく消去でき、しかも消去効果を長時間に亘り維持できる。
【図面の簡単な説明】
【図１】本発明の筆記システムに用いる白板状装置の一実施例を示す正面図である。
【図２】その斜視図である。
【図３】その略断面図である。
【図４】駆動軸を示す略断面図である。
【図５】貯液タンクを説明する部分斜視図である。
【図６】連結具を示す斜視図である。
【符号の説明】
３、３Ａ、３Ｂ　白板状体
５　貯液タンク
６　塗着具
【図１】
2004001413.tif 000003
【図２】
2004001413.tif 000004
【図３】
2004001413.tif 000005
【図４】
2004001413.tif 000006
【図５】
2004001413.tif 000007
【図６】
2004001413.tif 000008